(57)【要約】      （修正有）【課題】水処理施設の開口部上方を覆う太陽電池モジュールの集光効率，設置の自由度，強度設計，浮力設定等の改善。【解決手段】ＦＲＰパネルに遮光機能部と剛性付与部を個別に設けて形状をスリム化し，更に浮力確保部を算出することにより，軽量化を促進する。水処理施設の処理池毎バラツキを吸収できるよう，並列方向にはラップ代を設け，隣接するパネルを上下に交互配置する。躯体側には弾性体シートを固定し，池幅に対する融通性と干渉機能を付与する。太陽電池モジュールはリジットタイプでも良いが，フレキシブルタイプが好ましい。シート状アモルファスシリコン太陽電池であれば凹凸配置が自由であり，方位，傾斜角の制約が大幅に緩和出来る。【選択図】なし【特許請求の範囲】
【請求項１】
水処理施設，開口部の水面上に強化プラスチック（以下ＦＲＰと略す）製浮上体を複数枚隣接して配置し，当該ＦＲＰ製浮上体に太陽電池モジュールを取付たことを特徴とする太陽光発電装置。
【請求項２】
水処理施設，開口部の水面上に強化プラスチック（以下ＦＲＰと略す）製浮上体を複数枚隣接して配置し，当該ＦＲＰ製浮上体に太陽電池モジュールを取付たことを特徴とする太陽光発電装置において，個々の太陽電池モジュールを５ｍ以上の曲率半径を有して凸状に配列した装置及び，個々の太陽電池モジュールを１０ｍ以上の曲率半径を有して凹状に配列したパネル装置。
【請求項３】
水処理施設，開口部の水面上に強化プラスチック（以下ＦＲＰと略す）製浮上体を複数枚隣接して配置し，当該ＦＲＰ製浮上体に太陽電池モジュールを取付たことを特徴とする太陽光発電装置において，シート状アモルファスシリコン太陽電池を配列したパネル装置。
【請求項４】
水処理施設，開口部の水面上に強化プラスチック（以下ＦＲＰと略す）製浮上体を複数枚隣接して配置し，当該ＦＲＰ製浮上体に太陽電池モジュールを取付たことを特徴とする太陽光発電装置において，隣接するＦＲＰ浮上体の側面鍔部に高低差を設け，１０ｍｍ以上の重なりを有して配列したパネル装置。
【請求項５】
水処理施設，開口部の水面上に強化プラスチック（以下ＦＲＰと略す）製浮上体を複数枚隣接して配置し，当該ＦＲＰ製浮上体に太陽電池モジュールを取付たことを特徴とする太陽光発電装置において，施設躯体面に接触するＦＲＰ浮上体鍔部に弾性体シートを取付，干渉機能を設けたパネル装置。
【発明の詳細な説明】
【技術分野】
【０００１】本発明は浄水場或は下水処理場等水処理施設に敷設される防藻対策を兼ねた浮上型覆蓋の表面に太陽電池モジュールを配置し，クリーンエネルギーの有効利用を図るものである。
【背景技術】
【０００２】水処理施設に敷設される覆蓋は，防臭，防藻，転落防止，危険物投入防止等を目的としてＦＲＰ，合成木材，サンドイッチパネル，アルミニウム，コンクリートキャスト板，テント素材等で製作されている。近年二酸化炭素低減にむけ太陽光発電が普及しており覆蓋も従来の目的に加え，太陽電池モジュールと組合せた太陽光発電システムの採用が始っている。覆蓋の機能と発電を有機的に組合せた設計を提供するため太陽電池モジュールの取付け手法を考案した。水処理施設においては設置上の制約から，躯体に固定出来ない施設及び材料費のなかで大きな比重を占める桁鋼材が不用となる設計対応が可能な処理水面に浮上させたパネル構造を提供するものである。
【発明の開示】
【発明が解決しようとする課題】
【０００３】特開２００４−２２８２６２或は特開２００４−２２８２６３において，フロート方式の覆蓋パネル装置が提唱されている。本考案に係るフロートは枠構造となっており，太陽電池モジュールに本来の発電機能以外に，自立強度・遮光機能をを要求しており，別途遮水機能膜の配設も必要である。また，隣接するフロートは連結フランジにより締結されている為，配列方向に若干の屈曲性は有するもののスライド機能はなく，配列方向の自由度は大幅に制約を受ける。更に太陽電池モジュールは一方向傾斜の為，水処理施設の建設方向によっては適正な太陽光入射角度が得難いことも有り得る。
【課題を解決するための手段】
【０００４】本考案に係る太陽光発電装置は前述の問題点を解決するものであり，以下の構成要素を包含している。ＦＲＰ浮上体は浮力の確保，太陽電池モジュールの固定と負荷に対する強度，遮光機能，水処理施設への布設し易さが要求される。以上を鑑み，図−１の浮上体を提供する。浮力と強度はパネル下部に設置されるハット型リブ構造を各水処理施設における仕様・条件にあわせて設計することが出来る為，最小限の重量にて成形可能となる。パネル本体は隣接側に段付鍔部を設け，上側配置の場合は段付の断面形状とし，下側配置パネルは段の部位を除去することにより，並列して配置した場合上パネルと下パネルが交互に設置される。このラップする部位が完璧な遮光を実現するとともにパネル配置の自由度を確保することになる。この鍔部は水処理施設の躯体に接触する側の端部にも設けてあるので，この部位に弾性体シートをボルト等で固定することにより，躯体との干渉機能及び遮光機能を確保すると共に寸法的な制約を緩和することが可能となる。更に，発電機能の確保には太陽との方位及び入射角が重要な要因であるが，太陽発電モジュールにシート状アモルファスシリコンタイプを使用することにより，最適な位置関係を設定することが可能となる。
【発明の効果】
【０００５】本考案に係るパネル装置により，ＦＲＰ浮上体は高剛性を付与する為の補強が不用となり，最小限の形状が設計出来る為，更なる軽量化が可能となる。また，シート状アモルファスシリコン太陽電池を採用することにより，更なる軽量化が実現可能となる。シート状太陽電池を使用すれば，太陽との位置関係の制約が大きく緩和可能となり，発電量の増加に繋がる。構造的には，浮上状態で遮光効果を損なうことなく並列するパネル装置は自由に設置可能であり，水処理施設の躯体とも干渉を抑えることが出来る。太陽電池モジュールを凹凸自由に配置することにより，水処理施設の方位による劣勢度を緩和し，太陽の入射角に対しても自由度が確保出来ることになる。
【発明を実施するための最良の形態】
【０００６】パネル装置の必要な要素として，平面にて構成される外周部位とその下部に位置する浮力発生中空体をベース部材とし，中央部に太陽電池モジュールを取付ける曲面を構成する凹凸構造がある。また，外周部位において浮上体同士の配列の為の上下配置構造断面をとる。この構造により上パネルと下パネルの交互配置は自由になる。周辺部材の他端には弾性体シートを固定出来る鍔を確保する。その他，接続箱用の空隙，取り外しの為の取手が必要となる。
【実施例】
【０００７】１パネルの成形幅１０００ｍｍ，長さ３５００ｍｍの外形寸法を有し，その外周面に１００ｍｍ幅の平面部を設定した。中央部は曲率半径１５０００ｍｍのアーチ構造とし，太陽電池モジュールを収納すべく２５ｍｍの段差を設けた。アーチの両サイドには接続箱用の空間を確保するとともに，取扱用の取手を取付けた。外周面の幅方向には段差を設け，上パネルと下パネルは切断位置により，分別することした。２浮力の付与外周平面部の下部にハット構造の空間を設定した。この断面の大きさは自重量と釣合うものとし，５０×１００ｍｍの発泡体をオーバーレイし，本体パネルと一体化した。自重３５ｋｇに対し浮力は３８ｋｇとなり，ハット構造部が９０ｍｍ程度沈むことになる。３太陽電池モジュールの取付け幅７００ｍｍ，長さ３０００ｍｍの可撓タイプの太陽電池モジュールをリベットにて固定し，防水コネクタにより直列に配線した。
【図面の簡単な説明】
【０００８】
【図１】本考案に懸る太陽光発電装置パネルの標準的な形状を示す。
【図２】隣接するパネル装置の重ね合せ部を示す。
【図３】太陽光発電装置パネルの断面形状を示す。
【図４】本考案に懸る太陽光発電装置パネルの凹型配置の標準的な形状を示す。
【符号の説明】
【０００９】図１の符号は１１…太陽電池モジュール，１２…パネルアーチ部，１３…外周水平部，１４…弾性体，１５…取手  １６…接続箱用スペース図２の符号は２１…上パネル重ね部，２２…下パネルラップ部図３の符号は３１…浮力付与部，３２…太陽電池モジュール図４の符号は４１…太陽電池モジュール，４２…パネルアーチ部
【図１】
2007150219.tif 000002
【図２】
2007150219.tif 000003
【図３】
2007150219.tif 000004
【図４】
2007150219.tif 000005